(57)【特許請求の範囲】
【請求項１】
冷媒回路（１０）を有する冷凍装置であって、
リアクトル（１４１ａ〜１４１ｃ）と冷却が必要な被冷却素子（１０３、１４２ａ〜１４２ｃ、１４３ａ〜１４３ｃ、１０６）とを含む強電部品群と、
弱電部品群と、
プリント配線板（７１）と、
前記冷媒回路を流れる冷媒によって前記被冷却素子を冷却する冷媒ジャケット（２９）と、
を備え、
前記プリント配線板の一方の主面（７１ａ）に、前記リアクトルを含む前記強電部品群及び前記弱電部品群が実装されており、
冷凍装置（１）。
前記強電部品群は、インターリーブ型の電源回路（１００）を構成しており、
前記電源回路を構成する前記被冷却素子は、前記電源回路の電源供給経路に合わせた順に配置されており、
前記リアクトルは、複数あり、
前記電源回路は、整流回路（１０３）、力率改善回路（１０４）、平滑コンデンサ（１０５ａ〜１０５ｃ）、及び、インバータ回路（１０６）を有しており、
前記力率改善回路は、互いが並列に接続される前記複数のリアクトルと、前記各リアクトルに接続された前記被冷却素子としてのダイオード（１４２ａ〜１４２ｃ）及びスイッチング素子（１４３ａ〜１４３ｃ）とを有しており、
前記リアクトルは、前記力率改善回路を構成する前記ダイオード及び前記スイッチング素子を挟んで平滑コンデンサと反対側に配置されている、
冷凍装置（１）。
【請求項２】
前記リアクトル（１４１ａ〜１４１ｃ）は、前記力率改善回路（１０４）を構成する前記ダイオード（１４２ａ〜１４２ｃ）及び前記スイッチング素子（１４３ａ〜１４３ｃ）の近傍に配置されている、
請求項１に記載の冷凍装置（１）。
【発明の詳細な説明】
【技術分野】
【０００１】
本発明は、冷凍装置、特に、冷媒回路を流れる冷媒によって被冷却素子を冷却する冷媒ジャケットを備えた冷凍装置に関する。
【背景技術】
【０００２】
従来より、特許文献１（特開２０１３−２２４７８５号公報）に示すように、冷媒回路を流れる冷媒によって被冷却素子を冷却する冷媒ジャケットを備えた冷凍装置がある。この冷凍装置では、強電部品群及び弱電部品群をプリント配線板の主面に実装し、強電部品群のうち被冷却素子を冷却できるように冷媒ジャケットを配置している。また、配線パターンの簡素化の観点から、リアクトルをプリント配線板の主面には実装せずに、ハーネスを介して接続するようにしている。
【発明の概要】
【発明が解決しようとする課題】
【０００３】
しかし、冷媒ジャケットで被冷却素子を冷却する構成では、被冷却素子が冷媒ジャケットの位置に集中して配置されるため、配線パターンが複雑になりやすい。しかも、上記従来のように、ハーネスを介してリアクトルを接続する構成を採用する場合には、被冷却素子が冷媒ジャケットの位置に集中して配置されるだけでなく、付随するハーネスも近接することになるため、他の配線と接触して干渉ノイズが増大するおそれがある。
【０００４】
特に、力率改善のためにインターリーブ型の電源回路を採用する場合には、力率改善回路を構成するためのリアクトルやダイオード、スイッチング素子が増加するため、配線パターンがさらに複雑になるおそれがある。
【０００５】
本発明の課題は、冷媒回路を流れる冷媒によって被冷却素子を冷却する冷媒ジャケットを備えた冷凍装置において、プリント配線板上の配線パターンが複雑化することを抑えて、干渉ノイズの低減を図ることにある。
【課題を解決するための手段】
【０００６】
第１の観点にかかる冷凍装置は、冷媒回路を有する冷凍装置であって、リアクトルと冷却が必要な被冷却素子とを含む強電部品群と、弱電部品群と、プリント配線板と、冷媒回路を流れる冷媒によって被冷却素子を冷却する冷媒ジャケットと、を有している。そして、ここでは、プリント配線板の一方の主面に、リアクトルを含む強電部品群及び弱電部品群が実装されている。
【０００７】
ここでは、上記のように、従来の冷媒ジャケットで被冷却素子を冷却する構成とは異なり、プリント配線板の一方の主面に、他の強電部品とともにリアクトルを実装するようにしている。このため、リアクトルを接続するためのハーネスがなくすことができる。
【０００８】
これにより、ここでは、プリント配線板上の配線パターンが複雑化することを抑えて、干渉ノイズの低減を図ることができる。そして、このことは、プリント配線板の小型化やコストダウンにも寄与することになり、高性能なプリント配線板上の部品配置を実現することができる。
【０００９】
また、ここでは、強電部品群が、インターリーブ型の電源回路を構成しており、電源回路を構成する被冷却素子は、電源回路の電源供給経路に合わせた順に配置されている。
【００１０】
インターリーブ型の電源回路は、主として、整流回路、力率改善回路及びインバータ回路を有しており、これらの回路は、整流回路、力率改善回路、インバータ回路という電源供給経路の順に接続されている。これらの回路には、ダイオードやスイッチング素子などの被冷却素子が含まれている。
【００１１】
そして、ここでは、上記のように、これらの回路に含まれる被冷却素子を電源供給経路に合わせた順、すなわち、整流回路、力率改善回路を構成する被冷却素子、インバータ回路の順に配置するようにしている。
【００１２】
これにより、ここでは、部品点数の多いインターリーブ型の電源回路を採用する場合にもかかわらず、プリント配線板上の配線パターンが複雑化することを抑えることができる。そして、このことは、プリント配線板の小型化にも寄与することになる。
【００１３】
また、ここでは、リアクトルが複数あり、電源回路が、整流回路、力率改善回路、平滑コンデンサ、及び、インバータ回路を有している。力率改善回路は、互いが並列に接続される複数のリアクトルと、各リアクトルに接続された被冷却素子としてのダイオード及びスイッチング素子とを有している。そして、ここでは、リアクトルが、力率改善回路を構成するダイオード及びスイッチング素子を挟んで平滑コンデンサと反対側に配置されている。
【００１４】
第２の観点にかかる冷凍装置は、第１の観点にかかる冷凍装置において、リアクトルが、力率改善回路を構成するダイオード及びスイッチング素子の近傍に配置されている。
【００１５】
インターリーブ型の電源回路では、力率改善回路とインバータ回路との間に平滑コンデンサが接続されており、力率改善回路は、複数のリアクトルのそれぞれにダイオード及びスイッチング素子が接続された構成を有している。平滑コンデンサを含むこれらの部品は、リアクトル、ダイオード及びスイッチング素子、平滑コンデンサという電源供給経路の順に接続されている。
【００１６】
そして、ここでは、上記のように、リアクトルを、ダイオード及びスイッチング素子を挟んで平滑コンデンサと反対側に配置するようにしている。すなわち、力率改善回路を構成するリアクトル、力率改善回路を構成するダイオード及びスイッチング素子、平滑コンデンサを電源供給経路の順に配置するようにしている。
【００１７】
また、ここでは、上記のように、リアクトルを、ダイオード及びスイッチング素子を挟んで平滑コンデンサと反対側に配置することに加えて、リアクトルを、力率改善回路を構成するダイオード及びスイッチング素子の近傍に配置するようにしている。
【００１８】
これにより、ここでは、部品点数の多いインターリーブ型の電源回路を採用する場合において、プリント配線板上の配線パターンが複雑化することをさらに抑えることができる。そして、このことは、プリント配線板のさらなる小型化にも寄与することになる。
【発明の効果】
【００１９】
以上の説明に述べたように、本発明によれば、以下の効果が得られる。
【００２０】
第１の観点にかかる冷凍装置では、プリント配線板上の配線パターンが複雑化することを抑えて、干渉ノイズの低減を図ることができる。そして、このことは、プリント配線板の小型化やコストダウンにも寄与することになり、高性能なプリント配線板上の部品配置を実現することができる。また、部品点数の多いインターリーブ型の電源回路を採用する場合にもかかわらず、プリント配線板上の配線パターンが複雑化することを抑えることができる。そして、このことは、プリント配線板の小型化にも寄与することになる。
【００２１】
第２の観点にかかる冷凍装置では、部品点数の多いインターリーブ型の電源回路を採用する場合において、プリント配線板上の配線パターンが複雑化することをさらに抑えることができる。そして、このことは、プリント配線板のさらなる小型化にも寄与することになる。
【図面の簡単な説明】
【００２２】
【図１】本発明にかかる冷凍装置の一実施形態としての空気調和装置の概略構成図である。
【図２】室外ユニットの平面断面図である。
【図３】室外ユニットの送風機室側前板及び機械室側前板を取り外した状態を示す前面図である。
【図４】電源回路の概略構成図である。
【図５】プリント配線板の前面図である。
【図６】冷媒ジャケットの前面図である。
【図７】図６のＩ−Ｉ断面図である。
【発明を実施するための形態】
【００２３】
以下、本発明にかかる冷凍装置としての空気調和装置の実施形態及びその変形例について、図面に基づいて説明する。尚、本発明にかかる冷凍装置の具体的な構成は、下記の実施形態及びその変形例に限られるものではなく、発明の要旨を逸脱しない範囲で変更可能である。
【００２４】
（１）空気調和装置の全体構成
図１は、本発明にかかる冷凍装置の一実施形態としての空気調和装置１の概略構成図である。
【００２５】
空気調和装置１は、蒸気圧縮式の冷凍サイクルを行うことによって、建物等の室内の冷房及び暖房を行うことが可能な装置である。空気調和装置１は、主として、室外ユニット２と、室内ユニット４とが接続されることによって構成されている。ここで、室外ユニット２と室内ユニット４とは、液冷媒連絡管５及びガス冷媒連絡管６を介して接続されている。すなわち、空気調和装置１の蒸気圧縮式の冷媒回路１０は、室外ユニット２と、室内ユニット４とが冷媒連絡管５、６を介して接続されることによって構成されている。
【００２６】
＜室内ユニット＞
室内ユニット４は、室内に設置されており、冷媒回路１０の一部を構成している。室内ユニット４は、主として、室内熱交換器４１を有している。
【００２７】
室内熱交換器４１は、冷房運転時には冷媒の蒸発器として機能して室内空気を冷却し、暖房運転時には冷媒の放熱器として機能して室内空気を加熱する熱交換器である。室内熱交換器４１の液側は液冷媒連絡管５に接続されており、室内熱交換器４１のガス側はガス冷媒連絡管６に接続されている。
【００２８】
室内ユニット４は、室内ユニット４内に室内空気を吸入して、室内熱交換器４１において冷媒と熱交換させた後に、供給空気として室内に供給するための室内ファン４２を有している。すなわち、室内ユニット４は、室内熱交換器４１を流れる冷媒の加熱源又は冷却源としての室内空気を室内熱交換器４１に供給するファンとして、室内ファン４２を有している。ここでは、室内ファン４２として、室内ファン用モータ４２ａによって駆動される遠心ファンや多翼ファン等が使用されている。
【００２９】
室内ユニット４は、室内ユニット４を構成する各部の動作を制御する室内側制御部４０を有している。そして、室内側制御部４０は、室内ユニット４の制御を行うために設けられたマイクロコンピュータやメモリ等を有しており、リモコン（図示せず）との間で制御信号等のやりとりを行ったり、室外ユニット２との間で制御信号等のやりとりを行うことができるようになっている。
【００３０】
＜室外ユニット＞
室外ユニット２は、室外に設置されており、冷媒回路１０の一部を構成している。室外ユニット２は、主として、圧縮機２１と、四路切換弁２２と、室外熱交換器２３と、冷媒ジャケット２９と、膨張弁２６と、液側閉鎖弁２７と、ガス側閉鎖弁２８とを有している。
【００３１】
圧縮機２１は、冷凍サイクルの低圧の冷媒を高圧になるまで圧縮する機器である。圧縮機２１は、後述の電源回路１００を通じて電源供給される圧縮機用モータ２１ａによって、ロータリ式やスクロール式等の容積式の圧縮要素（図示せず）を回転駆動する密閉式構造となっている。圧縮機２１は、吸入側に吸入管３１が接続されており、吐出側に吐出管３２が接続されている。吸入管３１は、圧縮機２１の吸入側と四路切換弁２２とを接続する冷媒管である。吐出管３２は、圧縮機２１の吐出側と四路切換弁２２とを接続する冷媒管である。
【００３２】
四路切換弁２２は、冷媒回路１０における冷媒の流れの方向を切り換えるための切換弁である。四路切換弁２２は、冷房運転時には、室外熱交換器２３を圧縮機２１において圧縮された冷媒の放熱器として機能させ、かつ、室内熱交換器４１を室外熱交換器２３において放熱した冷媒の蒸発器として機能させる冷房サイクル状態への切り換えを行う。すなわち、四路切換弁２２は、冷房運転時には、圧縮機２１の吐出側（ここでは、吐出管３２）と室外熱交換器２３のガス側（ここでは、第１ガス冷媒管３３）とが接続される（図１の四路切換弁２２の実線を参照）。しかも、圧縮機２１の吸入側（ここでは、吸入管３１）とガス冷媒連絡管６側（ここでは、第２ガス冷媒管３４）とが接続される（図１の四路切換弁２２の実線を参照）。また、四路切換弁２２は、暖房運転時には、室外熱交換器２３を室内熱交換器４１において放熱した冷媒の蒸発器として機能させ、かつ、室内熱交換器４１を圧縮機２１において圧縮された冷媒の放熱器として機能させる暖房サイクル状態への切り換えを行う。すなわち、四路切換弁２２は、暖房運転時には、圧縮機２１の吐出側（ここでは、吐出管３２）とガス冷媒連絡管６側（ここでは、第２ガス冷媒管３４）とが接続される（図１の四路切換弁２２の破線を参照）。しかも、圧縮機２１の吸入側（ここでは、吸入管３１）と室外熱交換器２３のガス側（ここでは、第１ガス冷媒管３３）とが接続される（図１の四路切換弁２２の破線を参照）。ここで、第１ガス冷媒管３３は、四路切換弁２２と室外熱交換器２３のガス側とを接続する冷媒管である。第２ガス冷媒管３４は、四路切換弁２２とガス側閉鎖弁２８とを接続する冷媒切り換えられ  室外熱交換器２３は、冷房運転時には室外空気を冷却源とする冷媒の放熱器として機能し、暖房運転時には室外空気を加熱源とする冷媒の蒸発器として機能する熱交換器である。室外熱交換器２３は、液側が液冷媒管３５に接続されており、ガス側が第１ガス冷媒管３３に接続されている。液冷媒管３５は、室外熱交換器２３の液側と液冷媒連絡管５側とを接続する冷媒管である。
【００３３】
膨張弁２６は、冷房運転時には、室外熱交換器２３において放熱した冷凍サイクルの高圧の冷媒を冷凍サイクルの低圧まで減圧する弁である。また、膨張弁２６は、暖房運転時には、室内熱交換器４１において放熱した冷凍サイクルの高圧の冷媒を冷凍サイクルの低圧まで減圧する弁である。膨張弁２６は、液冷媒管３５の液側閉鎖弁２７寄りの部分に設けられている。ここでは、膨張弁２６として、電動膨張弁が使用されている。
【００３４】
冷媒ジャケット２９は、冷媒回路１０を循環する冷媒（ここでは、冷媒管３５を流れる冷媒）によって、後述の電装品ユニット７０を構成する電装品のうち発熱が大きく冷却が必要な被冷却素子１０３、１４２ａ〜１４２ｃ、１４３ａ〜１４３ｃ、１０６を冷却する熱交換器である。すなわち、冷媒ジャケット２９は、冷房運転時には室外熱交換器２３において放熱した後の冷凍サイクルの高圧の冷媒（すなわち、室外熱交換器２３と膨張弁２６との間を流れる冷媒）によって被冷却素子１０３、１４２ａ〜１４２ｃ、１４３ａ〜１４３ｃ、１０６を冷却する熱交換器として機能し、暖房運転時には膨張弁２６よって減圧された後の冷凍サイクルの低圧の冷媒（すなわち、膨張弁２６と室外熱交換器２３との間を流れる冷媒）によって被冷却素子１０３、１４２ａ〜１４２ｃ、１４３ａ〜１４３ｃ、１０６を冷却する熱交換器として機能する。
【００３５】
液側閉鎖弁２７及びガス側閉鎖弁２８は、外部の機器・配管（具体的には、液冷媒連絡管５及びガス冷媒連絡管６）との接続口に設けられた弁である。液側閉鎖弁２７は、液冷媒管３５の端部に設けられている。ガス側閉鎖弁２８は、第２ガス冷媒管３４の端部に設けられている。
【００３６】
室外ユニット２は、室外ユニット２内に室外空気を吸入して、室外熱交換器２３において冷媒と熱交換させた後に、外部に排出するための室外ファン３６を有している。すなわち、室外ユニット２は、室外熱交換器２３を流れる冷媒の冷却源又は加熱源としての室外空気を室外熱交換器２３に供給するファンとして、室外ファン３６を有している。ここでは、室外ファン３６として、室外ファン用モータ３６ａによって駆動されるプロペラファン等が使用されている。
【００３７】
室外ユニット２は、室外ユニット２を構成する各部の動作を制御する室外側制御部２０を有している。そして、室外側制御部２０は、室外ユニット２の制御を行うために設けられたマイクロコンピュータやメモリ等を有しており、室内ユニット４（すなわち、室内側制御部４０）との間で制御信号等のやりとりを行うことができるようになっている。尚、室外側制御部２０は、後述の電装品ユニット７０に設けられている。
【００３８】
＜冷媒連絡管＞
冷媒連絡管５、６は、空気調和装置１を建物等の設置場所に設置する際に、現地にて施工される冷媒管であり、設置場所や室外ユニットと室内ユニットとの組み合わせ等の設置条件に応じて種々の長さや管径を有するものが使用される。
【００３９】
以上のように、室外ユニット２と、室内ユニット４と、冷媒連絡管５、６とが接続されることによって、空気調和装置１の冷媒回路１０が構成されている。冷媒回路１０は、主として、圧縮機２１、放熱器又は蒸発器としての室外熱交換器２３、冷媒ジャケット２９、膨張弁２６、蒸発器又は放熱器としての室内熱交換器４１が接続されることによって構成されている。そして、圧縮機２１、放熱器としての室外熱交換器２３、膨張弁２６、蒸発器としての室内熱交換器４１の順に冷媒を循環させる冷凍サイクル運転としての冷房運転を行うようになっており、この冷房運転を行う際に、冷媒ジャケット２９において、室外熱交換器２３と膨張弁２６との間を流れる冷凍サイクルの高圧の冷媒によって被冷却素子１０３、１４２ａ〜１４２ｃ、１４３ａ〜１４３ｃ、１０６を冷却するようになっている。また、圧縮機２１、放熱器としての室内熱交換器４１、膨張弁２６、蒸発器としての室外熱交換器２３の順に冷媒を循環させる冷凍サイクル運転としての暖房運転を行うようになっており、この暖房運転を行う際に、冷媒ジャケット２９において、膨張弁２６と室外熱交換器２３との間を流れる冷凍サイクルの低圧の冷媒によって被冷却素子１０３、１４２ａ〜１４２ｃ、１４３ａ〜１４３ｃ、１０６を冷却するようになっている。
【００４０】
＜制御部＞
空気調和装置１は、室内側制御部４０と室外側制御部２０とから構成される制御部８によって、室外ユニット２及び室内ユニット４の各機器の制御を行うことができるようになっている。すなわち、室内側制御部４０と室外側制御部２０とによって、上記の冷房運転や暖房運転等の冷凍サイクル運転を含む空気調和装置１全体の運転制御を行う制御部８が構成されている。
【００４１】
（２）室外ユニットの構成
次に、図２及び図３を用いて、室外ユニット２の構成について説明する。ここで、図２は、室外ユニット２の平面断面図である。図３は、室外ユニット２の送風機室側前板５４及び機械室側前板５５を取り外した状態を示す前面図である。尚、以下の説明において、「上」、「下」、「左」、「右」や「前面」、「側面」、「背面」、「天面」、「底面」等の方向や面を示す文言は、特にことわりのない限り、図３に示される室外ユニット２を前面とした場合における方向や面を意味する。
【００４２】
室外ユニット２は、ユニットケーシング５０の内部空間を鉛直方向に延びる仕切板５７で左右に分割することによって送風機室Ｓ１と機械室Ｓ２とを形成した構造（いわゆる、トランク型構造）を有するものである。室外ユニット２は、ユニットケーシング５０の背面及び側面の一部から室外空気を内部へと吸い込んだ後に、ユニットケーシング５０の前面から空気を排出するように構成されている。室外ユニット２は、主として、ユニットケーシング５０と、圧縮機２１、四路切換弁２２、室外熱交換器２３、膨張弁２６、冷媒ジャケット２９、閉鎖弁２７、２８、及び、これらの機器を接続する冷媒管３１〜３５を含む冷媒回路構成部品と、室外ファン３６と、複数の電装品が設けられた電装品ユニット７０とを有している。尚、ここでは、送風機室Ｓ１がユニットケーシング５０の左側面寄りに形成され、機械室Ｓ２がユニットケーシング５０の右側面寄りに形成された例を説明するが、左右が逆であってもよい。
【００４３】
ユニットケーシング５０は、略直方体状に形成されており、主として、冷媒回路構成部品２１〜２８と、室外ファン３６と、電装品ユニット７０とを収容している。ユニットケーシング５０は、底板５１と、送風機室側側板５２と、機械室側側板５３と、送風機室側前板５４と、機械室側前板５５と、天板５６とを有している。
【００４４】
底板５１は、ユニットケーシング５０の底面部分を構成する板状部材である。底板５１の下側には、現地据付面に固定される基礎脚５８、５９が設けられている。
【００４５】
送風機室側側板５２は、ユニットケーシング５０の送風機室Ｓ１寄りの側面部分を構成する板状部材である。送風機室側側板５２は、その下部が底板５１に固定されている。送風機室側側板５２には、室外ファン３６によってユニットケーシング５０内に吸入される室外空気の吸入口５２ａが形成されている。
【００４６】
機械室側側板５３は、ユニットケーシング５０の機械室Ｓ２寄りの側面部分の一部と、ユニットケーシング５０の機械室Ｓ２寄りの背面部分とを構成する板状部材である。機械室側側板５３は、その下部が底板５１に固定されている。送風機室側側板５２の背面側の端部と機械室側側板５３の送風機室Ｓ１側の端部との間には、室外ファン３６によってユニットケーシング５０内に吸入される室外空気の吸入口５２ｂが形成されている。
【００４７】
送風機室側前板５４は、ユニットケーシング５０の送風機室Ｓ１の前面部分を構成する板状部材である。送風機室側前板５４は、その下部が底板５１に固定され、その左側面側の端部が送風機室側側板５２の前面側の端部に固定されている。送風機室側前板５４には、室外ファン３６によってユニットケーシング５０の内部に取り込まれた室外空気を外部に吹き出すための吹出口５４ａが設けられている。
【００４８】
機械室側前板５５は、ユニットケーシング５０の機械室Ｓ２の前面部分の一部と、ユニットケーシング５０の機械室Ｓ２の側面部分の一部とを構成する板状部材である。機械室側前板５５は、その送風機室Ｓ１側の端部が送風機室側前板５４の機械室Ｓ２側の端部に固定され、その背面側の端部が機械室側側板５３の前面側の端部に固定されている。
【００４９】
天板５６は、ユニットケーシング５０の天面部分を構成する板状部材である。天板５６は、送風機室側板５２や機械室側側板５３、送風機室側前板５４に固定されている。
【００５０】
仕切板５７は、底板５１上に配置される鉛直方向に延びる板状部材である。仕切板５７は、ユニットケーシング５０の内部空間を左右に分割することによって、左側面寄りの送風機室Ｓ１と、右側面寄りの機械室Ｓ２とを形成している。仕切板５７は、その下部が底板５１に固定され、その前面側の端部が送風機室側前板５４に固定され、その背面側の端部が室外熱交換器２２の機械室Ｓ２側の端部に固定されている。
【００５１】
室外ファン３６は、送風機室Ｓ１内において、室外熱交換器２３の前面側の位置に、吹出口５４ａに面するように配置されている。
【００５２】
室外熱交換器２３は、略Ｌ字形状の熱交換器パネルであり、送風機室Ｓ１内において、ユニットケーシング５０の左側面及び背面に沿うように配置されている。
【００５３】
圧縮機２１は、縦型円筒形状の密閉式圧縮機であり、機械室Ｓ２内に配置されている。
【００５４】
電装品ユニット７０は、ユニットケーシング５０の前面寄りに位置するように、機械室Ｓ２内に配置されている。電装品ユニット７０は、室外ユニット２内の機器の制御等に使用される複数の電装品が設けられたユニットであり、室外側制御部２０が設けられている。電装品ユニット７０は、主として、プリント配線板７１と、圧縮機用モータ２１ａへの電源供給に使用される後述の電源回路１００を構成する被冷却素子１０３、１４２ａ〜１４２ｃ、１４３ａ〜１４３ｃ、１０６や室外側制御部２０を含む複数の電装品とを有している。後述の被冷却素子１０３、１４２ａ〜１４２ｃ、１４３ａ〜１４３ｃ、１０６や室外側制御部２０を含む複数の電装品は、プリント配線板７１の主面７１ａ（ここでは、室外ユニット２の前面側を向く面）に実装されている。
【００５５】
冷媒ジャケット２９は、ここでは、液冷媒管３５のＵ字曲げされた部分の長手方向に沿う縦長形状の部材であり、プリント配線板７１上に支持されている。冷媒ジャケット２９は、上下方向に折り返すようにＵ字曲げされた液冷媒管３５が装着された構造を有している。冷媒ジャケット２９は、プリント配線板７１の主面７１ａに実装された被冷却素子１０３、１４２ａ〜１４２ｃ、１４３ａ〜１４３ｃ、１０６を前面側から覆うように配置されており、被冷却素子１０３、１４２ａ〜１４２ｃ、１４３ａ〜１４３ｃ、１０６に熱的に接触している。
【００５６】
尚、ここでは図示を省略するが、四路切換弁２２や膨張弁２６等の冷媒回路構成部品もユニットケーシング５０内に配置されている。また、電源回路１００や冷媒ジャケット２９を含む電装品ユニット７０の詳細な構成については、後述するものとする。
【００５７】
（３）空気調和装置の基本動作
次に、空気調和装置１の基本動作について、図１を用いて説明する。空気調和装置１は、基本動作として、冷媒ジャケット２９による被冷却素子１０３、１４２ａ〜１４２ｃ、１４３ａ〜１４３ｃ、１０６の冷却を行いつつ、冷房運転及び暖房運転を行うことが可能である。尚、冷房運転及び暖房運転は、制御部８によって行われる。
【００５８】
＜冷房運転＞
冷房運転時には、四路切換弁２２が冷房サイクル状態（図１の実線で示される状態）に切り換えられる。
【００５９】
冷媒回路１０において、冷凍サイクルの低圧のガス冷媒は、圧縮機２１に吸入され、冷凍サイクルの高圧になるまで圧縮された後に吐出される。
【００６０】
圧縮機２１から吐出された高圧のガス冷媒は、四路切換弁２２を通じて、室外熱交換器２３に送られる。
【００６１】
室外熱交換器２３に送られた高圧のガス冷媒は、室外熱交換器２３において、室外ファン３６によって冷却源として供給される室外空気と熱交換を行って放熱して、高圧の液冷媒になる。
【００６２】
室外熱交換器２３において放熱した高圧の液冷媒は、冷媒ジャケット２９に送られる。
【００６３】
冷媒ジャケット２９に送られた高圧の液冷媒は、被冷却素子１０３、１４２ａ〜１４２ｃ、１４３ａ〜１４３ｃ、１０６と熱交換を行って加熱される。このとき、被冷却素子１０３、１４２ａ〜１４２ｃ、１４３ａ〜１４３ｃ、１０６は、冷媒ジャケット２９を流れる高圧の液冷媒の流量（すなわち、冷媒循環量）及び温度に応じて、冷却されることになる。
【００６４】
冷媒ジャケット２９において加熱された高圧の液冷媒は、膨張弁２６に送られる。
【００６５】
膨張弁２６に送られた高圧の液冷媒は、膨張弁２６によって冷凍サイクルの低圧まで減圧されて、低圧の気液二相状態の冷媒になる。膨張弁２６で減圧された低圧の気液二相状態の冷媒は、液側閉鎖弁２７及び液冷媒連絡管５を通じて、室内熱交換器４１に送られる。
【００６６】
室内熱交換器４１に送られた低圧の気液二相状態の冷媒は、室内熱交換器４１において、室内ファン４２によって加熱源として供給される室内空気と熱交換を行って蒸発する。これにより、室内空気は冷却され、その後に、室内に供給されることで室内の冷房が行われる。
【００６７】
室内熱交換器４１において蒸発した低圧のガス冷媒は、ガス冷媒連絡管６、ガス側閉鎖弁２８及び四路切換弁２２を通じて、再び、圧縮機２１に吸入される。
【００６８】
＜暖房運転＞
暖房運転時には、四路切換弁２２が暖房サイクル状態（図１の破線で示される状態）に切り換えられる。
【００６９】
冷媒回路１０において、冷凍サイクルの低圧のガス冷媒は、圧縮機２１に吸入され、冷凍サイクルの高圧になるまで圧縮された後に吐出される。
【００７０】
圧縮機２１から吐出された高圧のガス冷媒は、四路切換弁２２、ガス側閉鎖弁２８及びガス冷媒連絡管６を通じて、室内熱交換器４１に送られる。
【００７１】
室内熱交換器４１に送られた高圧のガス冷媒は、室内熱交換器４１において、室内ファン４２によって冷却源として供給される室内空気と熱交換を行って放熱して、高圧の液冷媒になる。これにより、室内空気は加熱され、その後に、室内に供給されることで室内の暖房が行われる。
【００７２】
室内熱交換器４１で放熱した高圧の液冷媒は、液冷媒連絡管５及び液側閉鎖弁２７を通じて、膨張弁２６に送られる。
【００７３】
膨張弁２６に送られた高圧の液冷媒は、膨張弁２６によって冷凍サイクルの低圧まで減圧されて、低圧の気液二相状態の冷媒になる。膨張弁２６で減圧された低圧の気液二相状態の冷媒は、冷媒ジャケット２９に送られる。
【００７４】
冷媒ジャケット２９に送られた低圧の気液二相状態の冷媒は、被冷却素子１０３、１４２ａ〜１４２ｃ、１４３ａ〜１４３ｃ、１０６と熱交換を行って加熱される。このとき、被冷却素子１０３、１４２ａ〜１４２ｃ、１４３ａ〜１４３ｃ、１０６は、冷媒ジャケット２９を流れる低圧の気液二相状態の冷媒の流量（すなわち、冷媒循環量）及び温度に応じて、冷却されることになる。
【００７５】
冷媒ジャケット２９において加熱された低圧の気液二相状態の冷媒は、室外熱交換器２３に送られる。
【００７６】
室外熱交換器２３に送られた低圧の気液二相状態の冷媒は、室外熱交換器２３において、室外ファン３６によって加熱源として供給される室外空気と熱交換を行って蒸発して、低圧のガス冷媒になる。
【００７７】
室外熱交換器２３で蒸発した低圧の冷媒は、四路切換弁２２を通じて、再び、圧縮機２１に吸入される。
【００７８】
（４）電源回路や冷媒ジャケットを含む電装品ユニットの構成
次に、図２〜図７を用いて、電源回路１００や冷媒ジャケット２９を含む電装品ユニット７０の構成について説明する。ここで、図４は、電源回路１００の概略構成図である。図５は、プリント配線板７１の前面図である。図６は、冷媒ジャケット２９の前面図である。図７は、図６のＩ−Ｉ断面図である。
【００７９】
上記のように、電装品ユニット７０は、主として、プリント配線板７１と、圧縮機用モータ２１ａへの電源供給に使用される電源回路１００を構成する被冷却素子１０３、１４２ａ〜１４２ｃ、１４３ａ〜１４３ｃ、１０６や室外側制御部２０を含む複数の電装品とを有している。そして、被冷却素子１０３、１４２ａ〜１４２ｃ、１４３ａ〜１４３ｃ、１０６や室外側制御部２０を含む複数の電装品は、プリント配線板７０の主面７１ａ（ここでは、室外ユニット２の前面側を向く面）に実装されている。
【００８０】
まず、プリント配線板７１及び実装される複数の電装品の構成について詳細に説明する。プリント配線板７１は、ユニットケーシング５０の一部（ここでは、機械室側前板５５）を取り外すことにより現れる開口側に向いた主面（前面）７１ａを有しており、この主面７１ａに複数の電装品が実装されている。プリント配線板７１は、上下方向に平行な姿勢で機械室Ｓ２内に配置されている。尚、プリント配線板７１は、厳密に上下方向に平行な姿勢に配置されるものに限定されず、上下方向に対して多少傾斜した姿勢で配置されていてもよい。
【００８１】
複数の電装品は、強電部品群と弱電部品群とを含んでいる。強電部品群には、動力制御や電力変換などを行うための動力系の複数の電装品が含まれている。具体的には、強電部品群には、圧縮機用モータ２１ａへの電源供給に使用される電源回路１００を構成する電装品などが含まれている。弱電部品群には、スイッチやコネクタ等の操作素子やＬＥＤ等の表示素子のような通信系、信号系の複数の電装品が含まれている。具体的には、弱電部品群には、各種設定を行うためのサービススイッチ１０８や、室外ユニット２の制御を行うために設けられたマイクロコンピュータやメモリ等からなる室外側制御部２０などが含まれている。
【００８２】
電源回路１００は、圧縮機用モータ２１ａへの電源供給に使用される電気回路である。尚、ここでは、電源回路１００として、圧縮機用モータ２１ａのための電源回路をプリント配線板７１に実装した構成について説明する。尚、ここでは図示しないが、室外ユニット２は、室外ファン用モータ３６ａへの電源供給に使用される電源回路も有している。しかし、その構成は、以下に説明する圧縮機用モータ２１ａのための電源回路１００と同様であるため、ここでは説明を省略する。但し、室外ファン用モータ３６ａのための電源回路をプリント配線板７１に実装する場合には、圧縮機用モータ２１ａのための電源回路１００を構成する電装品と同様に、プリント配線板７１の主面７１ａに実装することが好ましい。
【００８３】
電源回路１００は、主として、入力線部１０２と、整流回路１０３と、力率改善回路１０４と、平滑コンデンサ１０５ａ〜１０５ｃと、インバータ回路１０６と、出力線部１０７とを有している。
【００８４】
入力線部１０２は、商用電源などの電源１０１から単相の交流電源が入力される端子部である。
【００８５】
整流回路１０３は、入力線部１０２に接続されており、入力線部１０２を通じて入力された交流電圧を直流電圧に整流する回路部である。整流回路１０３は、主として、発熱が大きいダイオードブリッジなどを有しており、冷却が必要な被冷却素子を構成している。
【００８６】
力率改善回路１０４は、整流回路１０３と平滑コンデンサ１０５ａ〜１０５ｃとの間に接続されており、電源回路１００の力率、すなわち、電源１０１から入力される電力のうち実際に負荷（ここでは、圧縮機用モータ２１ａ）で使用される有効な電力を改善するための回路である。力率改善回路１０４は、主として、互いが並列に接続される複数（ここでは、３つ）のリアクトル１４１ａ〜１４１ｃと、各リアクトル１４１ａ〜１４１ｃに接続されたダイオード１４２ａ〜１４２ｃ及びスイッチング素子１４３ａ〜１４３ｃとを有している。複数のリアクトル１４１ａ〜１４１ｃは、整流回路１０３の出力端から複数（ここでは、３つ）に分岐した回路部にそれぞれ接続されている。ダイオード１４２ａ〜１４２ｃはそれぞれ、対応するリアクトル１４１ａ〜１４１ｃと直列に接続されている。スイッチング素子１４３ａ〜１４３ｃは、ゲートバイポーラトランジスタなどからなり、対応するリアクトル１４１ａ〜１４１ｃと対応するダイオード１４２ａ〜１４２ｃとの間から分岐した回路部にそれぞれ接続されている。力率改善回路１０４は、発熱が大きいダイオード１４２ａ〜１４２ｃ及びスイッチング素子１４３ａ〜１４３ｃを有しており、これらは冷却が必要な被冷却素子を構成している。尚、ここでは、力率改善回路１０４は、リアクトル、ダイオード及びスイッチング素子の組を３つ有する構成になっているが、これに限定されるものではなく、リアクトル、ダイオード及びスイッチング素子の組を２つ有する構成やリアクトル、ダイオード及びスイッチング素子の組を４つ以上有する構成であってもよい。
【００８７】
平滑コンデンサ１０５ａ〜１０５ｃは、力率改善回路１０４とインバータ回路１０６との間に接続されており、力率改善回路１０４を介して入力される直流電圧を平滑する素子である。尚、ここでは、平滑コンデンサ１０５ａ〜１０５ｃは、３つあるが、これに限定されるものではなく、平滑コンデンサの数は、２つ以下であってもよいし、４つ以上であってもよい。
【００８８】
インバータ回路１０６は、平滑コンデンサ１０５ａ〜１０５ｃと出力線部１０７との間に接続されており、平滑コンデンサ１０５ａ〜１０５ｃで平滑された直流電圧を所望の三相の駆動電流に変換する回路部である。インバータ回路１０６は、ゲートバイポーラトランジスタなどのスイッチング素子を有しており、冷却が必要な被冷却素子を構成している。
【００８９】
出力線部１０７は、インバータ回路１０６から出力された駆動電流を圧縮機用モータ２１ａに出力するための端子部である。
【００９０】
そして、電源回路１００は、室外側制御部２０によって、力率改善回路１０４及びインバータ回路１０６を構成するスイッチング素子などが制御されて、圧縮機用モータ２１ａに出力される駆動電流が調節されるようになっている。
【００９１】
このように、ここでは、電源回路１００が力率改善回路１０４を有するインターリーブ型の電源回路を構成している。そして、この力率改善回路１０４は、複数（ここでは、３つ）のリアクトル１４１ａ〜１４１ｃと、各リアクトル１４１ａ〜１４１ｃに接続された被冷却素子としてのダイオード１４２ａ〜１４２ｃ及びスイッチング素子１４３ａ〜１４３ｃとを有している。また、電源回路１００は、被冷却素子として、整流回路１０３及びインバータ回路１０６も有している。
【００９２】
次に、プリント配線板７１に実装される複数の電装品の配置について詳細に説明する。プリント配線板７１の主面７１ａにおいて、強電部品群は、概ね右部寄りの領域に配置されており、弱電部品群は、概ね左部寄りの領域に配置されている。このように、強電部品群と弱電部品群とを分けて配置することによって、弱電部品が強電部品から悪影響を受けにくくなっている。尚、ここでは、弱電部品群を概ね左部寄りの領域に強電部品を概ね右部寄りの領域に配置しているが、これに限定されるものではなく、左右逆であってもよいし、上下に領域を分けるなど他の分け方であってもよい。
【００９３】
弱電部品群を構成する電装品については、ここでは、室外側制御部２０がプリント配線板７１の左寄りの下部に配置され、サービススイッチ１０８がプリント配線板７１の左寄りの上部に配置されている。尚、サービススイッチ１０８は、上縁部に配置されているため、サービス時の作業性に優れている。
【００９４】
強電部品群を構成する電装品については、入力線部１０２がプリント配線板７１の右寄りの上部に配置されている。
【００９５】
整流回路１０３は、プリント配線板７１の右寄りの上部に配置されている。ここでは、整流回路１０３は、入力線部１０２の概ね下側の位置に配置されている。
【００９６】
力率改善回路１０４は、プリント配線板７１の上下方向及び左右方向の中央部付近に配置されている。ここでは、力率改善回路１０４は、整流回路１０３の概ね下側の位置に配置されている。そして、力率改善回路１０４を構成するダイオード１４２ａ〜１４２ｃ及びスイッチング素子１４３ａ〜１４３ｃは、整流回路１０３の真下の位置に配置されており、リアクトル１４１ａ〜１４１ｃがダイオード１４２ａ〜１４２ｃ及びスイッチング素子１４３ａ〜１４３ｃの直ぐ左側の位置に配置されている。このように、ここでは、プリント配線板７１の主面７１ａに、他の強電部品群とともにリアクトル１４１ａ〜１４１ｃも実装されていることになる。また、ダイオード１４２ａ〜１４２ｃは、上下方向に順に並んで配置されており、各ダイオード１４２ａ〜１４２ｃの直ぐ下側の位置には、対応するスイッチング素子１４３ａ〜１４３ｃが配置されている。さらに、リアクトル１４１ａ〜１４１ｃも、対応するダイオード１４２ａ〜１４２ｃ及びスイッチング素子１４３ａ〜１４３ｃの組の概ね左側の位置にそれぞれ配置されている。これにより、リアクトル１４１ａ〜１４１ｃは、力率改善回路１０４を構成するダイオード１４２ａ〜１４２ｃ及びスイッチング素子１４３ａ〜１４３ｃの近傍に配置されていることになる。
【００９７】
平滑コンデンサ１０５ａ〜１０５ｃは、プリント配線板７１の右寄りの上下方向の中央部付近に配置されている。力率改善回路１０４の真右の位置に配置されている。ここでは、平滑コンデンサ１０５ａ〜１０５ｃは、上下方向に並んで配置されている。これにより、ここでは、リアクトル１４１ａ〜１４１ｃが、力率改善回路１０４を構成するダイオード１４２ａ〜１４２ｃ及びスイッチング素子１４３ａ〜１４３ｃを挟んで平滑コンデンサ１０５ａ〜１０５ｃと反対側に配置されていることになる。すなわち、力率改善回路１０４を構成するリアクトル１４１ａ〜１４１ｃ、力率改善回路１０４を構成するダイオード１４２ａ〜１４２ｃ及びスイッチング素子１４３ａ〜１４３ｃ、平滑コンデンサ１０５ａ〜１０５ｃが電源供給経路の順に配置されていることになる。
【００９８】
インバータ回路１０６は、プリント配線板７１の右寄りの下部に配置されている。インバータ回路１０６は、力率改善回路１０４の概ね下側の位置に配置されており、より具体的には、ダイオード１４２ａ〜１４２ｃ及びスイッチング素子１４３ａ〜１４３ｃ（ここでは、最下側の位置に配置されたスイッチング素子１４３ｃ）の直ぐ下側の位置に配置されている。これにより、ここでは、プリント配線板７１の主面７１ａにおいて、電源回路１００を構成する被冷却素子である整流回路１０３、力率改善回路１０４のダイオード１４２ａ〜１４２ｃ及びスイッチング素子１４３ａ〜１４３ｃ、インバータ回路１０６が、一方向（ここでは上下方向）に沿って順に一列に並んでいることになる。すなわち、電源回路１００を構成する被冷却素子１０３、１４２ａ〜１４２ｃ、１４３ａ〜１４３ｃ、１０６は、電源回路１００の電源供給経路に合わせた順にプリント配線板７１の主面７１ａに配置されていることになる。しかも、ここでは、入力線部１０２が整流回路１０３の概ね上側の位置に配置されているため、入力線部１０２も含めて、電源回路１００の電源供給経路に合わせた順にプリント配線板７１の主面７１ａに配置されていることになる。
【００９９】
出力線部１０７は、プリント配線板７１の右寄りの下部付近に配置されている。ここで出力線部１０７は、インバータ回路１０６の直ぐ右側の位置に配置されている。
【０１００】
次に、プリント配線板７１の主面７１ａに実装された被冷却素子１０３、１４２ａ〜１４２ｃ、１４３ａ〜１４３ｃ、１０６を冷却する冷媒ジャケット２９の構成について詳細に説明する。冷媒ジャケット２９は、主として、冷媒冷却部材８０と蓋部材９０とを有している。
【０１０１】
冷媒冷却部材８０は、冷媒回路１０を構成する冷媒管（ここでは、液冷媒管３５）が嵌合する溝部８１が形成されており、被冷却素子１０３、１４２ａ〜１４２ｃ、１４３ａ〜１４３ｃ、１０６と熱的に接触する縦長形状の金属製の部材である。冷媒冷却部材８０は、その背面がプリント配線板７１に実装された被冷却素子１０３、１４２ａ〜１４２ｃ、１４３ａ〜１４３ｃ、１０６の前面側に接触するように配置されている。すなわち、ここでは、冷媒冷却部材８０を含む冷媒ジャケット２９は、リアクトル１４１ａ〜１４１ｃと平滑コンデンサ１０５ａ〜１０５ｃとの左右方向間に配置されている。冷媒冷却部材８０は、支持部材７６を介してプリント配線板７１上に支持されている。ここで、支持部材７６は、冷媒冷却部材８０の上端及び下端に嵌合やネジ止め等によって固定された部材である。尚、支持部材７６は、冷媒冷却部材８０と一体に形成されていてもよい。冷媒冷却部材８０の前面には、１対の溝部８１が形成されている。１対の溝部８１は、液冷媒管３５の直管部に沿って上下方向に延びている。溝部８１は、その断面が略円弧状に形成されており、液冷媒管３５の外周面の一部が嵌合するようになっている。液冷媒管３５と溝部８１との間には、熱伝導を促進するためのグリスが塗布されている。１対の溝部８１の左右方向間には、溝部８１と概ね平行に上下方向に延びる中間部８２が形成されている。そして、被冷却素子１０３、１４２ａ〜１４２ｃ、１４３ａ〜１４３ｃ、１０６は、素子固定ネジ８３を用いて、冷媒冷却部材８０の背面にネジ止め固定されている。尚、被冷却素子１０３、１４２ａ〜１４２ｃ、１４３ａ〜１４３ｃ、１０６の冷媒冷却部材８０への固定方法は、ネジ止めに限定されるものではなく、また、熱的に接触していればよいため、必ずしも被冷却素子１０３、１４２ａ〜１４２ｃ、１４３ａ〜１４３ｃ、１０６が冷媒冷却部材８０に固定されていなくてもよい。
【０１０２】
蓋部材９０は、冷媒管（ここでは、液冷媒管３５）が溝部８１に嵌合した状態の冷媒冷却部材８０に被せられる縦長形状の金属製の部材である。蓋部材９０は、冷媒冷却部材８０に対向して配置されている。蓋部材９０は、冷媒冷却部材８０の１対の溝部８１に跨っている。蓋部材９０の左右方向の中央部分には、冷媒冷却部材８０の中間部８２に対向する取付部９１が形成されている。蓋部材９０は、液冷媒管３５が溝部８１に嵌合した状態の冷媒冷却部材８０に被せられ、そして、取付部９１の位置において、複数（ここでは、２つ）の蓋固定ネジ９２を用いて、冷媒冷却部材８０の中間部８２にネジ止め固定されている。尚、蓋固定ネジ９２の個数は、２つに限定されるものではなく、１つでもよいし、３つ以上であってもよい。また、蓋部材９０を冷媒冷却部材８０にネジ止め固定する位置も左右方向の中央部分に限定されるものではない。さらに、蓋部材９０の冷媒冷却部材８０への固定方法も、ネジ止めに限られるものではない。
【０１０３】
以上のような構成を有する冷媒ジャケット２９によって、プリント配線板７１の主面７１ａに上下方向に並んで配置・実装された被冷却素子１０３、１４２ａ〜１４２ｃ、１４３ａ〜１４３ｃ、１０６が冷却されるようになっている。
【０１０４】
（５）空気調和装置の特徴
本実施形態の空気調和装置１には、以下のような特徴がある。
【０１０５】
＜Ａ＞
ここでは、上記のように、従来の冷媒ジャケットで被冷却素子を冷却する構成とは異なり、プリント配線板７１の一方の主面７１ａに、他の強電部品とともにリアクトル１４１ａ〜１４１ｃを実装するようにしている。このため、リアクトル１４１ａ〜１４１ｃを接続するためのハーネスがなくすことができる。
【０１０６】
これにより、ここでは、プリント配線板７１上の配線パターンが複雑化することを抑えて、干渉ノイズの低減を図ることができる。そして、このことは、プリント配線板７１の小型化やコストダウンにも寄与することになり、高性能なプリント配線板７１上の部品配置を実現することができる。
【０１０７】
＜Ｂ＞
ここでは、上記のように、電源回路１００として、インターリーブ型の電源回路を採用している。このインターリーブ型の電源回路１００では、整流回路１０３、力率改善回路１０４及びインバータ回路１０６を有しており、これらの回路１０３、１０４、１０６は、整流回路１０３、力率改善回路１０４、インバータ回路１０６という電源供給経路の順に接続されている。これらの回路１０３、１０４、１０６には、ダイオードやスイッチング素子などの被冷却素子が含まれている。
【０１０８】
そして、ここでは、上記のように、これらの回路１０３、１０４、１０６に含まれる被冷却素子を電源供給経路に合わせた順、すなわち、整流回路１０３、力率改善回路１０４を構成する被冷却素子（ダイオード１４２ａ〜１４２ｃ及びスイッチング素子１４３ａ〜１４３ｃ）、インバータ回路１０６の順に配置するようにしている。
【０１０９】
これにより、ここでは、部品点数の多いインターリーブ型の電源回路１００を採用する場合にもかかわらず、プリント配線板７１上の配線パターンが複雑化することを抑えることができる。具体的には、被冷却素子１０３、１４２ａ〜１４２ｃ、１４３ａ〜１４３ｃ、１０６が上下方向にまとめて並べられているため、整流回路１０３、力率改善回路１０４及びインバータ回路１０６を接続する配線パターンを電源供給経路の順に合わせて極力短い距離で設けることができる。また、ここでは、入力線部１０２が整流回路１０３の直ぐ上側に配置されているため、入力線部１０２から整流回路１０３までの配線パターンも含めて、配線パターンを電源供給経路の順に合わせて極力短い距離で設けることができる。さらに、ここでは、出力線部１０７がインバータ回路１０６の直ぐ右側に配置されているため、インバータ回路１０６から出力線部１０７までの配線パターンも含めて、配線パターンを電源供給経路の順に合わせて極力短い距離で設けることができる。そして、このことは、プリント配線板７１の小型化にも寄与することになる。
【０１１０】
＜Ｃ＞
また、インターリーブ型の電源回路１００では、力率改善回路１０４とインバータ回路１０６との間に平滑コンデンサ１０５ａ〜１０５ｃが接続されており、力率改善回路１０４は、複数のリアクトル１４１ａ〜１４１ｃのそれぞれにダイオード１４２ａ〜１４２ｃ及びスイッチング素子１４３ａ〜１４３ｃが接続された構成を有している。平滑コンデンサ１０５ａ〜１０５ｃを含むこれらの部品は、リアクトル１４１ａ〜１４１ｃ、ダイオード１４２ａ〜１４２ｃ及びスイッチング素子１４３ａ〜１４３ｃ、平滑コンデンサ１０５ａ〜１０５ｃという電源供給経路の順に接続されている。
【０１１１】
そして、ここでは、上記のように、リアクトル１４１ａ〜１４１ｃを、ダイオード１４２ａ〜１４２ｃ及びスイッチング素子１４３ａ〜１４３ｃを挟んで平滑コンデンサ１０５ａ〜１０５ｃと反対側に配置するようにしている。ここでは、リアクトル１４１ａ〜１４１ｃの右側にダイオード１４２ａ〜１４２ｃ及びスイッチング素子１４３ａ〜１４３ｃを配置し、さらに右側に平滑コンデンサ１０５ａ〜１０５ｃを配置するようにしている。すなわち、力率改善回路１０４を構成するリアクトル１４１ａ〜１４１ｃ、力率改善回路１０４を構成するダイオード１４２ａ〜１４２ｃ及びスイッチング素子１４３ａ〜１４３ｃ、平滑コンデンサ１０５ａ〜１０５ｃを電源供給経路の順に配置するようにしている。
【０１１２】
また、ここでは、上記のように、リアクトル１４１ａ〜１４１ｃを、ダイオード１４２ａ〜１４２ｃ及びスイッチング素子１４３ａ〜１４３ｃを挟んで平滑コンデンサ１０５ａ〜１０５ｃと反対側に配置することに加えて、リアクトル１４１ａ〜１４１ｃを、力率改善回路１０４を構成するダイオード１４２ａ〜１４２ｃ及びスイッチング素子１４３ａ〜１４３ｃの近傍に配置するようにしている。具体的には、リアクトル１４１ａ〜１４１ｃを、ダイオード１４２ａ〜１４２ｃ及びスイッチング素子１４３ａ〜１４３ｃの直ぐ左側に配置するようにしている。
【０１１３】
これにより、ここでは、部品点数の多いインターリーブ型の電源回路１００を採用する場合において、プリント配線板７１上の配線パターンが複雑化することをさらに抑えることができる。具体的には、力率改善回路１０４を構成するリアクトル１４１ａ〜１４１ｃ、力率改善回路１０４を構成するダイオード１４２ａ〜１４２ｃ及びスイッチング素子１４３ａ〜１４３ｃ、平滑コンデンサ１０５ａ〜１０５ｃが左右方向にまとめて並べられているため、力率改善回路１０４及び平滑コンデンサ１０５ａ〜１０５ｃを接続する配線パターンを電源供給経路の順に合わせて極力短い距離で設けることができる。そして、このことは、プリント配線板７１のさらなる小型化にも寄与することになる。
【０１１４】
＜Ｄ＞
特に、ここでは、上記のように、冷媒ジャケット２９のような大きな部品をプリント配線板７１に取り付けているため、被冷却素子１０３、１４２ａ〜１４２ｃ、１４３ａ〜１４３ｃ、１０６を冷媒ジャケット２９の位置に集中して配置する必要があり、強電部品を接続する配線パターンの配置の制約が非常に大きい。
【０１１５】
しかし、上記＜Ａ＞〜＜Ｃ＞のようなリアクトル１４１ａ〜１４１ｃの配置を含めた強電部品群の配置を工夫することで、冷媒ジャケット２９による被冷却素子１０３、１４２ａ〜１４２ｃ、１４３ａ〜１４３ｃ、１０６冷却効果を十分に得ながら、プリント配線板７１上の配線パターンが複雑化することを抑えて、干渉ノイズの低減を図ることができる。
【０１１６】
＜Ｅ＞
また、ここでは、上記のように、出力線部１０７が入力線部１０２と上下方向に離れた位置に配置されている。このように入力線部１０２と出力線部１０７とを分離することによって干渉ノイズ低減効果を高めることができる。また、ここでは、入力線部１０２が、プリント配線板７１の上端部付近に配置されており、出力線部９７が、プリント配線板７１の下端部付近に配置されている。これにより、製造ラインにおいて、入力線部１０２及び出力線部１０７に他の配線を接続する作業などの作業効率が向上する。
【０１１７】
（６）変形例
＜Ａ＞
上記実施形態では、冷凍装置として室外ユニット２と室内ユニット４とを接続することによって構成される形式の空気調和装置１を例に挙げて説明したが、これに限定されるものではなく、他の形式の冷凍装置であってもよい。
【０１１８】
＜Ｂ＞
上記実施形態では、プリント配線板７１の主面７１ａが室外ユニット２の前面側を向く場合を例に挙げて説明したが、これに限定されるものではなく、電装品ユニット７０の構造や室外ユニット２内における電装品ユニット７０の配置に応じて、左右面側や上面側などの他の方向を向いていてもよい。
【０１１９】
＜Ｃ＞
上記実施形態では、冷媒ジャケット２９に対して、リアクトル１４１ａ〜１４１ｃが左側に、平滑コンデンサ１０５ａ〜１０５ｃが右側に配置されているが、これに限定されるものではなく、冷媒ジャケットに対して、リアクトル１４１ａ〜１４１ｃが右側に、平滑コンデンサ１０５ａ〜１０５ｃが左側に配置されていてもよい。
【０１２０】
＜Ｄ＞
上記実施形態では、電源回路としてインターリーブ型の電源回路１００を例に挙げて説明したが、これに限定されるものではなく、リアクトルと冷却が必要な被冷却素子とを含む強電部品群を備えた他のＤＣ−ＤＣコンバータ回路など種々の電源回路に適用可能である。
【０１２１】
＜Ｅ＞
上記実施形態の冷媒ジャケット２９は、室外ユニット２内において、縦長の形状であるが、これに限定されるものではなく、横長の形状であってもよい。
【０１２２】
＜Ｆ＞
上記実施形態の冷媒ジャケット２９は、液冷媒管３５を流れる冷媒によって被冷却素子１０３、１４２ａ〜１４２ｃ、１４３ａ〜１４３ｃ、１０６を冷却するものであるが、これに限定されるものではなく、冷媒回路１０の他の冷媒管を流れる冷媒によって被冷却素子１０３、１４２ａ〜１４２ｃ、１４３ａ〜１４３ｃ、１０６を冷却するものであってもよい。
【産業上の利用可能性】
【０１２３】
本発明は、冷媒回路を流れる冷媒によって被冷却素子を冷却する冷媒ジャケットを備えた冷凍装置に対して、広く適用可能である。
【符号の説明】
【０１２４】
１                  空気調和装置（冷凍装置）
１０                冷媒回路
２９                冷媒ジャケット
７１                プリント配線板
７１ａ              主面
１００              電源回路
１０３              整流回路（被冷却素子）
１０４              力率改善回路
１０５ａ〜１０５ｃ  平滑コンデンサ
１４１ａ〜１４１ｃ  リアクトル
１４２ａ〜１４２ｃ  ダイオード（被冷却素子）
１４３ａ〜１４３ｃ  スイッチング素子（被冷却素子）
１０６              インバータ回路
【先行技術文献】
【特許文献】
【０１２５】
【特許文献１】特開２０１３−２２４７８５号公報
【図１】
0005842905.tif 000002
【図２】
0005842905.tif 000003
【図３】
0005842905.tif 000004
【図４】
0005842905.tif 000005
【図５】
0005842905.tif 000006
【図６】
0005842905.tif 000007
【図７】
0005842905.tif 000008